(57)【要約】      （修正有）【課題】障害物への引っ掛かりが抑制され、且つフッキング率が高い、ルアーおよびルアー本体を提供する。【解決手段】ルアーは、軟質材料で形成されたルアー本体２と、その一部がルアー本体を貫通してルアー本体２に装着されたオフセットフック６と、オフセットフック６の針先６ｆよりもルアー本体２の先端側に、ルアー本体２から起立した状態で配置された弾性線材７と、を含み、弾性線材７の本数が１〜５本である。軟質材料は、好ましくはエラストマーである。【選択図】図１
0003234265.tif 000002
【実用新案登録請求の範囲】
【請求項１】
軟質材料で形成されたルアー本体と、
その一部が前記ルアー本体を貫通して前記ルアー本体に装着されたオフセットフックと、
前記オフセットフックの針先よりも前記ルアー本体の先端側に、前記ルアー本体から起立した状態で配置された弾性線材と、を含み、
前記弾性線材の本数が１〜５本である、ルアー。
【請求項２】
前記軟質材料がエラストマーである、請求項１に記載のルアー。
軟質材料
【請求項３】
前記オフセットフックを前記ルアー本体内に最も引き込んだ状態で、
前記オフセットフックの前記針先から前記弾性線材の基端までの直線距離Ｌ1と、前記弾性線材の基端から先端までの長さＬ2とが、Ｌ2≦Ｌ1の関係にある、請求項１または２に記載のルアー。
【請求項４】
前記オフセットフックが前記ルアー本体の外に最も突き出た状態で、
前記ルアー本体を左右対称に２分割する面と直交する水平面からのオフセットフックの前記水平面から最も離れた箇所までの高さｈ1と、前記水平面から前記弾性線材の先端までの高さとｈ2とが、ｈ1≦ｈ2の関係にある、請求項１〜３のいずれかの項に記載のルアー。
【請求項５】
前記ルアー本体を左右対称に２分割する面と直交する水平面に対する前記弾性線材の傾斜角度θが４５〜６０°である、請求項１〜４のいずれかの項に記載のルアー。
【請求項６】
前記弾性線材の本数が１〜３本である、請求項１〜５のいずれかの項に記載のルアー。
【請求項７】
前記ルアー本体表面のうちの、前記ルアー本体内に最も引き込まれた状態の前記オフセットフックの前記針先を含む先端部と向かい合う部分に凹部が形成されており、前記先端部は、前記凹部内に収まっている、請求項１〜６のいずれかの項に記載のルアー。
【請求項８】
前記凹部内に前記磁石又は前記磁性体が配置され、
前記磁石又は前記磁性体に、前記オフセットフックの前記先端部が吸着されている、請求項７に記載のルアー。
【請求項９】
前記オフセットフックは、
釣糸が結びつけられる釣糸係止部と、
前記釣糸接続部から延伸し下方向に屈曲した部分を含む屈曲部と、
前記屈曲部から延伸した延伸軸部と、
針先が前記釣糸係止部側に向くように湾曲した湾曲部と、
前記針先を含む先端部と、を含み、
少なくとも前記延伸軸部の一部が、前記ルアー本体の外に配置されている、請求項１〜８のいずれかの項に記載のルアー。
【請求項１０】
前記凹部は、前記ルアー本体の上面に形成されており、
前記ルアー本体は、前記凹部を構成する底部の下に、前記ルアー本体の下面に向かって開口し、前記凹部の深さよりも深い溝部を含み、
前記溝部の先端側壁は、前記ルアー本体内に最も引き込まれた状態の前記オフセットフックの前記針先よりも前記ルアー本体の先端のより近くにあり、前記溝部の後端側壁は、前記ルアー本体内に最も引き込まれた状態の前記オフセットフックのうちの前記ルアー本体内に配置された部分よりも後方にある、請求項７〜９のいずれかの項に記載のルアー。
【請求項１１】
前記凹部の前記底部には、前記オフセットフックが貫通する貫通孔が形成されている、請求項１０に記載のルアー。
【請求項１２】
請求項１〜１１のいずれかの項に記載のルアーの作製に使用される、軟質材料で形成されたルアー本体であって、
前記オフセットフックの針先よりも前記ルアー本体の先端側に、前記ルアー本体から起立した状態で弾性線材が配置されており、
前記弾性線材の本数が１〜５本である、ルアー本体。
【考案の詳細な説明】
【技術分野】
【０００１】
本考案は、改良された釣用ルアーに関する。
【背景技術】
【０００２】
従来、魚類の釣りに用いるルアーとして、ソフトベイト（ソフトスイムベイト）と呼ばれるルアーがある。ルアー本体の材料としては、繰り返し使用可能であることから、通常良く使用される塩化ビニル樹脂よりも、伸縮強度が優れたエラストマーが好適である。
【０００３】
ところで、ジクヘッド（オフセットフックとも呼ばれる）を軟質材料からなるルアー本体内に内蔵したルアーでは、例えば、針先の直上に、ルアー本体と一体化された軟質材料からなる薄膜を配置し、当該薄膜によって、針先が障害物等に引っ掛かることを防止し、ルアーに魚が食い付いた状態で釣糸を強く引っ張ることで釣針を持ち上げ、針先で肉薄部を破り、針先が魚の口角に突き刺さようにしている。しかし、ルアー本体の材料がエラストマーであると、伸縮強度が高いため、針先よって薄膜を破ることができず、魚が食いついても魚の口角に針先が刺さらないというトラブルが多発する。
【０００４】
この問題を解決するものとして、特許文献１には、ルアー本体表面のうちのオフセットフックの先端部と向かい合う部分に凹部が形成されており、この凹部内に磁石が配置され、磁石に、オフセットフックの先端部を吸着させた、ルアーが開示されている。
【０００５】
特許文献２には、シンカーの上面に、水中障害物や浮遊物がフックに引っかかることを抑制するためのブラシガードが取り付けられたジグへッドが開示されている。
【先行技術文献】
【特許文献】
【０００６】
【特許文献１】実用新案登録第３２３２００２号公報
【特許文献２】特許２０２０−１１５７９５号公報
【考案の開示】
【考案が解決しようとする課題】
【０００７】
しかし、特許文献１に開示のルアーであっても、ルアーを投げた時の衝撃で、オフセットフックの先端部が磁石から外れてしまった場合は、針先が剥き出しになり、水草、木、岩等の障害物に引っ掛かり易いという問題がある。また、ルアー本体が数センチ程度と小さい場合、ルアー本体表面の近く（背中）に磁石を背負わせるため、重心が高くなり、泳がせる際の姿勢の維持が難しい。
特許文献２に開示のジグヘッドに取り付けられたブラシガードは、多数本の樹脂性フィラメントが１つに束ねられたものであるので剛性が高く、ジグヘッド自体も変形しないので、針先が魚に掛難い（フッキン率が低い）という問題がある。
【０００８】
そこで、本開示は、障害物への引っ掛かりが抑制され、且つ、フッキング率が高い、ルアーおよびルアー本体を提供する。
【課題を解決するための手段】
【０００９】
本開示は、軟質材料で形成されたルアー本体と、その一部が前記ルアー本体を貫通して前記ルアー本体に装着されたオフセットフックと、前記オフセットフックの針先よりも前記ルアー本体の先端側に、前記ルアー本体から起立した状態で配置された弾性線材と、を含み、前記弾性線材の本数が１〜５本である、ルアーに関する。
【００１０】
本開示は、一態様おいて、上記ルアーの作製に使用される、軟質材料で形成されたルアー本体であって、前記オフセットフックの針先よりも前記ルアー本体の先端側に、前記ルアー本体から起立した状態で弾性線材が配置されており、前記弾性線材の本数が１〜５本である、ルアー本体に関する。
【考案の効果】
【００１１】
本開示によれば、障害物への引っ掛かりが抑制され、且つフッキング率が高い、ルアーおよびルアー本体を提供できる。
【図面の簡単な説明】
【００１２】
【図１】図１は、本開示の一態様のルアーの側面図であり、オフセットフックがルアー本体内に最も引き込まれた状態の図である。
【図２】図２は、図１に示したルアーの上面図である。
【図３】図３は、図１に示したルアーの下面図である。
【図４】図４は、図１に示したルアーの部分断面図である。
【図５】図５は、図１に示したルアーの部分断面図であり、オフセットフックがルアー本体の外に最も突き出た状態の図である。
【図６】図６は、図１に示したルアーを構成するルアー本体の断面図である。
【図７】図７は、図１に示したルアーのVII−VII'断面図である。
【図８】図８は、本開示の別の一態様のルアーの側面図である。
【図９】図９は、図８に示したルアーのIX−IX'断面図である。
【考案を実施するための最良の形態】
【００１３】
本開示のルアーは、一態様において、ルアー本体が軟質材料から形成されており、オフセットフックの針先よりもルアー本体の先端側において、ルアー本体から起立した状態で配置された弾性線材を含む。軟質材料から形成されたルアー本体は、軽く柔らかいため、障害物に衝突した際の衝撃を和らげる衝突緩衝効果を有する。また、弾性線材の本数は、ジグヘッドのような重いものに必要な本数よりも少なくてすみ、例えば１〜５本であるため、弾性線材またはその束は、障害物に衝突した際にはよく撓る。そのため、前記衝突緩衝効果と弾性線材またはその束が撓りやすいこととが相まって、障害物への高い引っ掛かり抑制効果が発揮される。また、弾性線材の本数が１〜５本と少ないので、魚が食い付いた時も、弾性線材またはその束は撓り易く、ルアー本体が変形しやすいことと相まって、針先が魚にしっかりと突き刺さり、そのためフッキング率が高まる。このように、本発明は、少ない本数の弾性線材の使用と、軟質材料から形成されたルアー本体の使用よる相乗効果よって、障害物への引っ掛かりが高度に抑制され、且つフッキング率が高いルアーおよびルアー本体を提供できる。
【００１４】
本開示のルアーは、一態様において、好ましくは、軟質材料がエラストマーである。この構成によれば、繰り返し使用が可能なルアー及びルアー本体を提供できる。
【００１５】
本開示のルアーは、一態様において、好ましくは、オフセットフックがルアー本体内に最も引き込まれた状態で、オフセットフックの針先から弾性線材の基端までの直線距離Ｌ1と、弾性線材の基端から先端までの長さＬ2とが、Ｌ2≦Ｌ1の関係にある。この構成によれば、弾性線材が撓ってもオフセットフックの針先の邪魔にならず、針先が魚の口に掛かりやすい。尚、本明細書において、弾性線材の基端とは、弾性線材のうちのルアー本体外に配置された部分のルアー本体側端を意味する。
【００１６】
本開示のルアーは、一態様において、好ましくは、オフセットフックが前記ルアー本体の外に最も突き出た状態で、前記ルアー本体を左右対称に２分割する面と直交する水平面からのオフセットフックの前記水平面から最も離れた箇所までの高さｈ1と、前記水平面から前記弾性線材の先端までの高さとｈ2とが、ｈ1≦ｈ2の関係にある。この構成によれば、弾性線材による、針先の障害物への引っ掛かり抑制効果が高い。なお、本明細書において、「左右」とは、ルアーを泳がせた際に下に位置する側が「下」、上に位置する側が「上」であることを基準とする。
【００１７】
本開示のルアーは、一態様において、好ましくは、ルアー本体を左右対称に２分割する面と直交する水平面に対する弾性線材の傾斜角度が４５〜６０°である。この構成によれば、弾性線材による、針先の障害物への引っ掛かり抑制効果が高い。
【００１８】
本開示のルアーは、一態様において、好ましくは、ルアー本体表面のうちの、ルアー本体内に最も引き込まれた状態のオフセットフックの針先を含む先端部と向かい合う部分に凹部が形成されており、前記先端部が前記凹部内に収まっている。この構成によれば、針先の障害物への引っ掛かり抑制効果が高い。
【００１９】
本開示のルアーは、一態様において、好ましくは、前記凹部内に前記磁石又は前記磁性体が配置され、前記磁石又は前記磁性体に、前記ルアー本体内に最も引き込まれた状態の前記オフセットフックの前記先端部が吸着されている。この構成によれば、針先の障害物への引っ掛かり抑制効果が高い。
【００２０】
本開示のルアーは、一態様において、好ましくは、ルアー本体表面のうちの、前記ルアー本体内に最も引き込まれた状態の前記オフセットフックの前記先端部と向かい合う部分に凹部が形成されている。前記凹部は、例えば、ルアー本体の上面に形成されている。加えて、ルアー本体は、好ましくは、前記凹部を構成する底部の下に、前記ルアー本体の下面に向かって開口し、前記凹部の深さよりも深い溝部を含み、前記溝部の先端側壁は、前記ルアー本体内に最も引き込まれた状態の前記オフセットフックの前記針先よりも前記ルアー本体の先端のより近くにあり、前記溝部の後端側壁は、前記ルアー本体内に最も引き込まれた状態の前記オフセットフックのうちの前記ルアー本体内に配置された部分よりも後方にあると好ましい。この構成によれば、例えば、中実のルアー本体よりも軽くて変形しやすく、魚が食いついた際には、ルアー本体が上下方向に潰れ易いのでオフセットフックが剥き出しとなりやすい。
更に、凹部内に磁石又は磁性体を備え、ルアー本体内に最も引き込まれた状態でオフセットフックの先端部が磁石又は磁性体に吸着する形態においては、魚が食いついた際には、ルアー本体が上下方向に潰れ易いので、オフセットフックの先端部が磁石又は磁性体から離れ易い。この状態で、釣糸を引っ張ると、魚の口にオフセットフックが深く突き刺さる。
更に、前記凹部の前記底部に、前記オフセットフックが貫通する貫通孔が形成されていると、ルアー本体へのオフセットフックの装着が容易であり、好ましい。
なお、本明細書において、ルアー本体の「下面」とは、ルアーを泳がせた際に下に位置する面であり、「上面」とは、上に位置する面である。
【００２１】
以下、本開示のルアーの、一態様について、図面を参照しながら説明する。
【００２２】
図１は、本開示の一態様のルアーの側面図であり、オフセットフックがルアー本体内に最も引き込まれた状態の図である。図２は、図１に示したルアーの上面図、図３は、図１に示したルアーの下面図を示している。図４および図５は、図１に示したルアーの部分断面図であり、図５は、オフセットフックがルアー本体の外に最も突き出た状態の図である。図６は、図１に示したルアーを構成するルアー本体の断面図である。図７は、図１に示したルアーのVII−VII'断面図である。
尚、説明の便宜のため、本明細書において、ルアー１の長手方向両端のうちの、釣糸係止部６ａに近い側の端を「先端」とし、その反対側の端を「後端」と呼び、ある位置から、「先端」に向かう方向を「前方」、「後端」に向かう方向を「後方」と呼ぶ。また、図１に示したルアー１の長手方向と直交し、上面及び下面を通る方向を「上下方向」と呼ぶ。
【００２３】
図１〜図７に示したルアー１は、ルアー本体２と、その一部がルアー本体２を貫通して前記ルアー本体に装着されたオフセットフック６と、ルアー本体２から起立し、オフセットフック６の針先よりも、ルアー本体２のより先端側に配置された弾性線材７と、を含む。
【００２４】
［オフセットフック］
オフセットフック６は、略Ｌ字状の釣針であり、ラインアイとも呼ばれリング状に曲げ加工された釣糸係止部６ａと、屈曲部６ｂと、延伸軸部６ｃと、湾曲部６ｄと、針先６ｆを含む先端部６ｅとをこの順で含む。釣糸接続部６ａには、図示されていないが、釣糸が結びつけられる。屈曲部６ｂは、釣糸接続部６ａから延伸し下方向に屈曲した部分を含む。延伸軸部６ｃは、シャンクとも呼ばれ、屈曲部６ｂから後方側に向かって延伸している。湾曲部６ｄは、オフセットフック６の針先６ｆが釣糸接続部６ａ側に向くように湾曲している。オフセットフック６は、ルアー本体２の先端側端面からルアー本体２内に差し込まれて、延伸軸部６ｃは、少なくともその一部が、ルアー本体２の下面の周囲に配置され、これよりも後方側の一部は、ルアー本体２内に配置されている。
【００２５】
［ルアー本体］
ルアー１は、ソフトベイト型のルアーである。ルアー本体２は、例えば、かえるを模した形状をしているが、形状について特に制限はない。ルアー本体２は、その全体が、塩化ビニル樹脂、エラストマー等の軟質材料で形成されているが、繰り返し使用の観点から、強度に優れた、エラストマーが好ましい。また、エラストマーは、水に浮く高い浮力を有するため、オフセットフック６を装着していても、ルアー１は、水面に浮かせて使用することができる。後述する磁石を装着した場合でもルアーを水面に浮かせることが可能である。任意におもり等を追加することによりルアーを水中に沈めることが可能である。
【００２６】
図１および図７等から良くわかるように、ルアー本体２の上面のうちのオフセットフック６の先端部６ｅと向かい合う部分には、凹部４が形成されている。先端部６ｅは、オフセットフック６のうちの、ルアー本体２の上面側において、ルアー本体２の外に配置された部分である。凹部４の長手方向の長さは、好ましくは、オフセットフック６の先端部６ｅの長さよりも長い。オフセットフック６の先端部６ｅの長手方向全体が凹部４内に収まっていると、先端部６ｅは、図１および図４等から良く分かるように、ルアー１を側面側から見たとき、先端部６ｅは全く見えない。
【００２７】
ルアー本体２は、凹部４を構成する底部４ａの下に、ルアー本体２の下面に向かって開口した溝部５を含んでいる。溝部５についての、ルアー本体２の下面から底部４ａの下面までの深さは、凹部４についての、ルアー本体２の上面から底部４ａまでの深さよりも深い。溝部５の先端側壁５ａは、ルアー本体内に最も引き込まれた状態のオフセットフック６の針先６ｆよりも、ルアー本体２の先端側端面や釣糸係止部６ａのより近くにある。一方、溝部５の後端側壁５ｂは、オフセットフック６のうちのルアー本体２内に配置された部分よりも後方にある。
【００２８】
図６に示すように、ルアー本体２には、オフセットフック６の一部を貫通させるための、第１貫通路２ａと第２貫通路２ｂが形成されている。第１貫通路２ａは、一端が、ルアー本体２の先端側端面で開口し、他端がルアー本体２の下面で開口している。第２貫通路２ｂは、その一端が、凹部４の底部４ａの下面で開口し、他端が、底部４ａの上面で開口している。従って、オフセットフック６は上記の通りの形状であることから、第１貫通路２ａの一端からルアー本体２の先端部内に挿入された先端部６ｅは、第１貫通路２ａの他端からルアー本体２の下面側の外に出た後、溝部５内に入って、第２貫通路２ｂの一端から、凹部４の底部４ａ内に挿入され、第２貫通路２ｂの他端から出て、凹部４の底部４ａの上方に配置される。このように、軟質材料であるルアー本体２を弾性変形させながら、オフセットフック６を上記の手順でルアー本体２に装着できる。逆の手順により、ルアー本体２からオフセットフック６を取り外すこともできる。すなわち、ルアー本体２内へのオフセットフック６の着脱が容易に行える。
【００２９】
［弾性線材］
図１等に示されるように、ルアー本体２に固定された弾性線材７は、オフセットフック６の針先６ｆよりも、ルアー本体２のより先端側に配置されているので、ルアー１が引かれると、弾性線材７がオフセットフック６の針先６ｆに先行して進む。そのため、ルアー本体２が水草等の障害物に衝突しても、針先６ｆよりも先に弾性線材７に当該障害物が当たり、弾性線材７が撓り、当該障害物を弾性線材７の弾性力により押しのけられるか、または弾性線材７が障壁となるので、針先が水草等に引っかかり難い。
【００３０】
弾性線材７の材料について、特に制限はなく、シンカーに固定された従来から公知のブラシガードを構成する線材と同じでよいが、ルアー本体２に突き刺し且つ自立可能な硬さを有しており、例えば、ナイロン等の合成樹脂繊維や、ステンレス等の金属が挙げられ、中でも、軽量なナイロン繊維が好適である。弾性線材７は、その一端が、ルアー本体２に突き刺されるとともに、接着剤やホットメルト等を用いて、ルアー本体２から脱落しないように固定される。
【００３１】
弾性線材７の本数は、ルアー本体２の重量等に応じて異なるが、オフセットフック６の障害物への引っ掛かりの抑制と、フッキング率の向上との両立の観点から、好ましくは１〜５本であり、より好ましくは１〜３本である。ルアー１が、軽量である場合、例えば５〜１５ｇ程度である場合、弾性線材は１本でも、本発明の効果は奏される。弾性線材７の配置位置は、図２に示されるように、ルアー１を上面側から平面視したときに、少なくとも１本の弾性線材７の基端７aと針先６ｆとが同一直線Ｓ上に配置されていると、障害物への引っ掛かりの抑制効果の向上の観点から、好ましい。
【００３２】
図１等に示されるように、本開示のルアー１は、一態様において、オフセットフック６をルアー本体２内に最も引き込んだ状態で、オフセットフック６の針先６ｆから弾性線材７の基端７aまでの直線距離Ｌ1と、弾性線材７の基端７aから先端７ｂまでの長さＬ2とが、Ｌ2≦Ｌ1の関係にあると、弾性線材７が針先６ｆ側に倒れても、オフセットフック６の針先６ｆの邪魔にならず、針先６ｆが魚の口に掛かりやすいので、好ましい。
【００３３】
図５に示されるように、本開示のルアー１は、一態様において、オフセットフック６がルアー本体２の外に最も突き出た状態で、ルアー本体２を左右対称に２分割する面Ｐ1と直交する水平面Ｐ2（図７参照）からのオフセットフック６の当該水平面Ｐ2から最も離れた箇所（高い箇所）までの高さｈ1と、当該水平面Ｐ2から弾性線材７の先端７ｂまでの高さとｈ2とが、ｈ1≦ｈ2の関係にあると、弾性線材７による、障害物への引っ掛かり抑制効果が高いので、好ましい。
【００３４】
図５に示されるように、本開示のルアー１は、一態様において、ルアー本体２を左右対称に２分割する面Ｐ1と直交する水平面Ｐ2（図７参照）に対する弾性線材７の傾斜角度θが４５〜６０°であると、弾性線材７による、高い障害物への引っ掛かり抑制効果が得られ、好ましい。
【００３５】
図４に示すように、使用者が釣糸を矢印ｃ方向に引っ張ると、オフセットフック６の屈曲部６ｂのうちの下方向に屈曲した部分がルアー本体２内において滑り、オフセットフック６に、矢印ａ方向に移動する力が作用する。ルアー本体２には、その広範囲に溝部５が形成されているので、オフセットフック６は、ａ方向への移動が、第２貫通路２ｂを構成する壁面に当接するまで干渉されることなく上方向に持ち上げられることになる。本明細書では、この状態を、オフセットフック６がルアー本体２の外に最も突き出た状態とする。この動作により、針先６ｆが魚の口に突き刺さり得る。魚がルアー１に食い付いた際に既に魚の口に針先６ｆが突き刺さっている場合は、上記動作により、針先６ｆは、さらに魚の口に深く突き刺さることになる。また、ルアー本体２は、上記溝部５が形成されていることによって上下方向に潰れやすく、オフセットフック６がルアー本体２から更に大きく露出し得、ルアー１に魚が食い付いたときに、オフセットフック６が魚に深く刺さり易い。図４に示すように、オフセットフック６の矢印ｂ方向の回転移動は、凹部４の底部４ａがオフセットフック６の先端部６ｅに対する物理的障壁となって制限される。
【００３６】
図７に示すように、溝部５の溝幅Ｘは、オフセットフック６の移動がスムーズに行え、魚が食い付いたときにルアー本体２が上下方向に潰れやすく、且つ、水の抵抗を受けてもルアー本体２の形状が保持される程度に設定すればよい。溝幅Ｘは、ルアー本体２の長手方向に沿って一定である必要はなく、異なっていてもよい。また、溝幅Ｘは、上下方向に沿って一定である必要はなく、異なっていてもよい。
【００３７】
図１から図７を用いて説明した本開示のルアーの一態様では、オフセットフック６の先端部６ｅ全体が、凹部４内に収まっているが、本発明の効果が損なわれない程度で、凹部４から僅かにはみ出していてもよい。例えば、先端部６ｅの一部である、針先６ｆ等が、凹部４から僅かにはみ出していてもよい。
【００３８】
次に、本開示のルアーの、別の一態様について、図面を参照しながら説明する。
【００３９】
図８は、本開示の別の一態様のルアー１０の側面図であり、図９は、図８に示したルアーのIX−IX'断面図である。図８及び図９に示したルアー１０は、凹部４の底部４ａに、磁石３が配置されており、オフセットフック６がルアー本体２内に最も引き込まれた状態で、オフセットフック６の先端部６ｅが磁石３に吸着されること以外は、図１〜図７を用いて説明したルアー１と同構成であり、図８および図９において、前記ルアー１と同一部材については、同じ符号を付してその説明を省略する。
【００４０】
磁石３は、例えば、ネオジウム磁石である。オフセットフック６が磁石で形成されている場合、磁石３は磁性体で形成されていてもよい。
【００４１】
磁石３は、例えば、その平面が円形のボタン状である。図９に示すように、ルアー本体２の凹部４の両側壁部４ｂには、磁石３の一部と嵌合する嵌合溝４ｃが各々形成されており、磁石３は、その上面３ａのうちの凹部４とほぼ同幅の中央部を残して１対の嵌合溝４ｃに嵌合されると共に、その下面３ｂが、接着剤（図示せず）等を用いて凹部４の底部４ａに固定されている。ただし、磁石３のルアー本体２への固定方法はこれに限定されない。ルアー本体２は、弾性変形する材料で形成されているので、磁石３は、単に凹部４内に押し込まれ、その側面および底面３ｂの一方または双方が、接着剤にて凹部４内に固定されていてもよい。
【００４２】
図８に示すように、オフセットフック６は、その先端部６ｅが磁石３に吸着されていることにより矢印ａ方向の回転移動が制限されており、磁石３によるオフセットフック６の吸着が解除されると、オフセットフック６のａ方向への移動が可能となり、第２貫通路２ｂを構成する先端側壁面にセットフック６の湾曲部６ｄが当接するまで干渉されることなく上方向に持ち上げられることになる。一方、矢印ｂ方向の回転移動は、磁石３と凹部４の底部４ａが物理的障壁となって制限される。
【００４３】
磁石３のオフセットフック６に対する吸着力は、ルアー１を水に投じた際にルアー１に加わる衝撃や、ルアー１が水草、木、岩等の障害物に接触したときに加わる外力程度では、オフセットフック６が磁石３から離れない程度に設定されていると好ましい。このような設定は、磁力の調整により可能である。想定した外力を超える大きな外力が加わらない限り、オフセットフック６の先端部６ｅが磁石３に吸着された状態が維持されていると好ましい。前記大きな外力としては、魚が食い付いたときの外力、釣糸を意図的に強く引っ張ったときに加わる外力を想定している。本開示のルアー１０は、弾性線材７を備えているので、例えば、ルアー１０を投げた時の衝撃で、万一オフセットフック６の先端部６ｅが磁石３から外れてしまった場合でも、水草、木、岩等の障害物への引っ掛かりが抑制される。
【符号の説明】
【００４４】
１，１０  ルアー
２，      ルアー本体
２ａ      第１貫通孔
２ｂ      第２貫通孔
３        磁石
３ａ      磁石の上面
３ｂ      磁石の下面
４        凹部
４ａ      凹部の底部
４ｂ      側壁
４ｃ      嵌合溝
５        溝部
５ａ      先端側壁
５ｂ      後端側壁
６        オフセットフック
６ａ      釣糸係止部
６ｂ      屈曲部
６ｃ      延伸軸部
６ｄ      湾曲部
６ｅ      先端部
６ｆ      針先
７        弾性線材
７ａ      弾性線材の基端
７ｂ      弾性線材の先端
【図１】
0003234265.tif 000003
【図２】
0003234265.tif 000004
【図３】
0003234265.tif 000005
【図４】
0003234265.tif 000006
【図５】
0003234265.tif 000007
【図６】
0003234265.tif 000008
【図７】
0003234265.tif 000009
【図８】
0003234265.tif 000010
【図９】
0003234265.tif 000011